(57)【要約】  例示の実施態様は、電子デバイスとの通信リンクを確立することに関する。一例として、コンピューティングデバイスは、第１の通信プロトコルを用いて電子デバイスのグローバル一意識別子（ＧＵＩＤ）を得るデータ取得デバイスを備える。また、コンピューティングデバイスは、ＧＵＩＤに基づいて電子デバイスを認証するプロセッサも備える。また、プロセッサは、ＧＵＩＤに基づいて電子デバイスに関連付けられたデバイス特徴情報の特定も行う。プロセッサは、更に、デバイス特徴情報及びＧＵＩＤに基づいて電子デバイスとの通信リンクを確立する。通信リンクは、第１の通信プロトコルとは異なる第２の通信プロトコルに基づいて実施される。【選択図】図１
2018537887.tif 000002
【特許請求の範囲】
【請求項１】
第１の通信プロトコルを用いて電子デバイスのグローバル一意識別子（ＧＵＩＤ）を得るデータ取得デバイスと、
プロセッサであって、
前記ＧＵＩＤに基づいて前記電子デバイスを認証し、
前記ＧＵＩＤに基づいて前記電子デバイスに関連付けられたデバイス特徴情報を特定し、
前記デバイス特徴情報及び前記ＧＵＩＤに基づいて前記電子デバイスとの通信リンクを確立し、なお、該通信リンクは、前記第１の通信プロトコルとは異なる第２の通信プロトコルに基づいて実施される、プロセッサと、
を備える、コンピューティングデバイス。
【請求項２】
前記第１の通信プロトコルは、近接場通信（ＮＦＣ）プロトコルを含む、請求項１に記載のコンピューティングデバイス。
【請求項３】
前記第２の通信プロトコルは、Ｚ−Ｗａｖｅプロトコル、Ｂｌｕｅｔｏｏｔｈプロトコル、Ｚｉｇｂｅｅプロトコル、又はＴｈｒｅａｄプロトコルである、請求項１に記載のコンピューティングデバイス。
【請求項４】
前記データ取得デバイスは、前記電子デバイスの電源がオフにされているときに、前記ＧＵＩＤを得る、請求項１に記載のコンピューティングデバイス。
【請求項５】
前記デバイス特徴情報は、前記電子デバイスのデバイスタイプ、前記電子デバイスによってサポートされる通信プロトコル、前記電子デバイスの検知能力、前記電子デバイスの制御能力、又はそれらの組み合わせである、請求項１に記載のコンピューティングデバイス。
【請求項６】
電子デバイスのグローバル一意識別子（ＧＵＩＤ）を記憶する近接場通信（ＮＦＣ）タグを備える該電子デバイスと、
コンピューティングデバイスであって、
ＮＦＣプロトコルを介して前記電子デバイスから前記グローバル一意識別子を得るＮＦＣリーダと、
プロセッサであって、
前記ＧＵＩＤに基づいてサーバを用いて前記電子デバイスを認証し、
前記サーバから前記電子デバイスに関連付けられたデバイス特徴情報を受信し、
前記デバイス特徴情報及び前記ＧＵＩＤに基づいて通信リンクを確立し、なお、該通信リンクは、前記ＮＦＣプロトコルとは異なる通信プロトコルに基づいて実施される、プロセッサと、
を備える、コンピューティングデバイスと、
を備える、システム。
【請求項７】
前記ＧＵＩＤは、前記電子デバイスに関連付けられた媒体アクセス制御（ＭＡＣ）アドレス、インターネットプロトコル（ＩＰ）アドレス、オペレーティングシステム生成識別子、前記電子デバイスに関連付けられたシリアル番号及びタイムスタンプのハッシュ、又はそれらの組み合わせである、請求項６に記載のシステム。
【請求項８】
前記電子デバイスは、前記通信リンクが確立されるときには電源をオフにされており、前記電子デバイスは、電源をオンにされたとき、前記通信リンクを介して前記コンピューティングデバイスと通信する、請求項６に記載のシステム。
【請求項９】
前記通信プロトコルは、Ｚ−Ｗａｖｅプロトコル、Ｂｌｕｅｔｏｏｔｈプロトコル、Ｚｉｇｂｅｅプロトコル、又はＴｈｒｅａｄプロトコルである、請求項６に記載のシステム。
【請求項１０】
前記システムは、第２の電子デバイスの第２のＧＵＩＤを記憶する第２のＮＦＣタグを備える該第２の電子デバイスを更に備え、前記コンピューティングデバイスは、前記第２のＧＵＩＤに基づいて前記第２の電子デバイスとの第２の通信リンクを確立し、該第２の通信リンクは、前記通信プロトコルとは異なる第２の通信プロトコルに基づいて実施される、請求項６に記載のシステム。
【請求項１１】
実行されると、コンピューティングデバイスのプロセッサに以下を行わせる命令、すなわち、
第１の通信プロトコルを用いて電子デバイスのグローバル一意識別子（ＧＵＩＤ）を得ることであって、該ＧＵＩＤは、前記第１の通信プロトコルとは異なる第２の通信プロトコルに関連付けられることと、
前記ＧＵＩＤに基づいて前記電子デバイスを認証することと、
前記ＧＵＩＤに基づいて前記電子デバイスに関連付けられたデバイス特徴情報を特定することと、
前記デバイス特徴情報及び前記ＧＵＩＤに基づいて前記電子デバイスとの通信リンクを確立することであって、該通信リンクは、前記第２の通信プロトコルに基づいて実施されることと、
を行わせる命令を含む、非一時的コンピュータ可読記憶媒体。
【請求項１２】
前記第１の通信プロトコルは、近接場通信（ＮＦＣ）プロトコルを含む、請求項１１に記載の非一時的コンピュータ可読記憶媒体。
【請求項１３】
前記第２の通信プロトコルは、Ｚ−Ｗａｖｅプロトコル、Ｂｌｕｅｔｏｏｔｈプロトコル、Ｚｉｇｂｅｅプロトコル、又はＴｈｒｅａｄプロトコルである、請求項１１に記載の非一時的コンピュータ可読記憶媒体。
【請求項１４】
前記ＧＵＩＤは、前記電子デバイスに関連付けられた媒体アクセス制御（ＭＡＣ）アドレスであり、前記ＧＵＩＤは、前記電子デバイスに関連付けられた媒体アクセス制御（ＭＡＣ）アドレス、インターネットプロトコル（ＩＰ）アドレス、オペレーティングシステム生成識別子、前記電子デバイスに関連付けられたシリアル番号及びタイムスタンプのハッシュ、又はそれらの組み合わせである、請求項１１に記載の非一時的コンピュータ可読記憶媒体。
【請求項１５】
前記デバイス特徴情報は、前記電子デバイスのデバイスタイプ、前記電子デバイスによってサポートされる通信プロトコル、前記電子デバイスの検知能力、前記電子デバイスの制御能力、又はそれらの組み合わせである、請求項１１に記載の非一時的コンピュータ可読記憶媒体。
【発明の詳細な説明】
【背景技術】
【０００１】
モノのインターネット（ＩｏＴ）は、情報を収集及び交換するオブジェクトのネットワークを有することの概念である。オブジェクトは、電球、冷蔵庫等の複数のデバイスを含むことができる。
【図面の簡単な説明】
【０００２】
本願のいくつかの例が、以下の図面に関して記載される。
【０００３】
【図１】一例による、電子デバイスの識別子に基づいて、電子デバイスとコンピューティングデバイスとの間の通信リンクを確立する当該コンピューティングデバイスを示す図である。
【図２】一例による、電子デバイスの識別子に基づいて、電子デバイスとコンピューティングデバイスとの間の通信リンクを確立するシステムを示す図である。
【図３】別の例による、電子デバイスの識別子に基づいて、電子デバイスとコンピューティングデバイスとの間の通信リンクを確立するシステムを示す図である。
【図４】別の例による、電子デバイスの識別子に基づいて電子デバイスとの通信リンクを確立する、コンピューティングデバイスを示す図である。
【発明を実施するための形態】
【０００４】
モノのインターネット（ＩｏＴ）デバイスとの通信リンクは、データが収集及び／又は交換される前に確立することができる。現在、ＩｏＴデバイスとコンピューティングデバイスとの間の通信リンクを確立することは、ユーザがデバイスに関する情報をコンピューティングデバイスに入力する手動のプロセスである。その後、ユーザは、通信リンクを確立するために、デバイスを探索する発見プロセスをコンピューティングデバイスにおいて開始する。したがって、コンピューティングデバイスとＩｏＴデバイスとの間の通信リンクを確立することは、多大な時間を要する作業となる場合がある。
【０００５】
本明細書に記載の例により、電子デバイスの識別子に基づいて、電子デバイスとコンピューティングデバイスとの間の通信リンクを確立するコンピューティングデバイスが提供される。例えば、コンピューティングデバイスは、第１の通信プロトコルを用いて電子デバイスのグローバル一意識別子（ＧＵＩＤ）を得るデータ取得デバイスを備えることができる。また、コンピューティングデバイスは、ＧＵＩＤに基づいて電子デバイスを認証するプロセッサも備えることができる。また、プロセッサは、ＧＵＩＤに基づいて電子デバイスに関連付けられたデバイス特徴情報（device characteristic information）の特定も行うことができる。プロセッサは、さらに、デバイス特徴情報及びＧＵＩＤに基づいて電子デバイスとの通信リンクを確立することができる。通信リンクは、第１の通信プロトコルとは異なる第２の通信プロトコルに基づいて実施することができる。したがって、電子デバイスとの通信リンクを確立することに関連付けられる時間を低減することができる。
【０００６】
図１は、一例による、電子デバイスとコンピューティングデバイス１００との間の通信リンクを、電子デバイスの識別子に基づいて確立する当該コンピューティングデバイス１００を示している。コンピューティングデバイス１００は、例えば、ウェブベースサーバ、ローカルエリアネットワークサーバ、クラウドベースサーバ、ノートブックコンピュータ、デスクトップコンピュータ、オールインワンシステム、タブレットコンピューティングデバイス、移動電話、電子書籍リーダ、又は電子デバイスの識別子を介して電子デバイスとの通信リンクを確立するのに好適な他の任意の電子デバイスとすることができる。コンピューティングデバイス１００は、データ取得デバイス１０２及びプロセッサ１０４を備えることができる。
【０００７】
データ取得デバイス１０２は、第１のデータ通信プロトコルを介して別のデバイスからデータを得るために、この別のデバイスを起動する任意のデバイス又は回路とすることができる。例えば、データ取得デバイス１０２は、別のデバイスを、磁気誘導（magnetic induction）を介して起動することができる。いくつかの例において、データ取得デバイス１０２は、近接場通信（ＮＦＣ：Near Field Communication：近距離無線通信）プロトコルを実施するＮＦＣリーダとすることができる。プロセッサ１０４は、コンピューティングデバイス１００の動作を制御する命令を、フェッチ、復号、及び実行することができる。
【０００８】
動作中、データ取得デバイス１０２は、電子デバイス（図１には示さず）からグローバル一意識別子（ＧＵＩＤ）１０６を得ることができる。データ取得デバイス１０２は、ＮＦＣプロトコルを用いてＧＵＩＤ１０６を得ることができる。電子デバイスは、ＩｏＴデバイスとすることができる。ＧＵＩＤ１０６は、電子デバイスのアイデンティティに関する情報を含むことができる。
【０００９】
ＧＵＩＤ１０６の取得に応答して、コンピューティングデバイス１００は、ＧＵＩＤ１０６に基づいて電子デバイスのアイデンティティを認証することができる。また、コンピューティングデバイス１００は、電子デバイスに関連付けられたデバイス特徴情報１０８を特定することもできる。デバイス特徴情報１０８は、電子デバイスの少なくとも１つの動作的な態様に関する情報を含むことができる。デバイス特徴情報１０８に基づいて、コンピューティングデバイス１００は、電子デバイスとの通信リンクを確立することができる。通信リンクは、第１の通信プロトコルとは異なる第２の通信プロトコルを介して実施することができる。したがって、コンピューティングデバイス１００及び電子デバイスは、通信リンクが確立された後に通信リンクを介してデータを交換することができる。コンピューティングデバイスと電子デバイスとの間の通信リンクを確立することは、図２により詳細に記載される。
【００１０】
図２は、一例による、電子デバイスの識別子に基づいて、電子デバイスとコンピューティングデバイスとの間の通信リンクを確立するシステム２００を示している。システム２００は、コンピューティングデバイス２０２及び電子デバイス２０４を含むことができる。コンピューティングデバイス２０２は、図１のコンピューティングデバイス１００に類似のものとすることができる。
【００１１】
コンピューティングデバイス２０２は、ＮＦＣリーダ２０６及びプロセッサ２０８を備えることができる。ＮＦＣリーダ２０６は、ＥＣＭＡ−３４０等のＮＦＣプロトコルを用いて、ＮＦＣタグからデータを得る又は読み出す任意のデバイス又は回路とすることができる。電子デバイス２０４は、制御動作（例えば、照明のオン及びオフ）及び／又は検知動作（例えば、温度検知）を実行する任意のデバイス又は回路とすることができ、有線又は無線通信リンクを介して情報を交換することができる。プロセッサ２０８は、図１のプロセッサ１０４と類似のものとすることができる。プロセッサ２０８は、コンピューティングデバイス２０２の動作を制御することができる。
【００１２】
電子デバイス２０４は、例えば、センサ、電化製品等とすることができる。電子デバイス２０４は、ＮＦＣタグ２１０を備えることができる。ＮＦＣタグ２１０は、電子デバイス２０４に関連付けられた情報を記憶することができる。例えば、ＮＦＣタグ２１０は、電子デバイス２０４に関連付けられたグローバル一意識別子（ＧＵＩＤ）２１２を記憶することができる。
【００１３】
ＧＵＩＤ２１２は、電子デバイス２０４に関連付けられた媒体アクセス制御（ＭＡＣ）アドレス、電子デバイス２０４に割り当てられたインターネットプロトコル（ＩＰ）アドレス、電子デバイス２０４に関連付けられたオペレーティングシステム生成識別子、電子デバイス２０４に関連付けられたシリアル番号及びタイムスタンプのハッシュ、又はそれらの組み合わせとすることができる。いくつかの例において、ＧＵＩＤ２１２は、コンピューティングデバイス２０２と通信するために電子デバイス２０４が実施する通信プロトコルに関連付けることができる。すなわち、ＧＵＩＤ２１２は、通信プロトコルに依拠することができる。例えば、通信プロトコルがＴｈｒｅａｄ（登録商標）プロトコルである場合、ＧＵＩＤ２１２は、電子デバイスに割り当てられたＩＰｖ６アドレスとすることができる。別の例として、通信プロトコルがＺｉｇｂｅｅ（登録商標）プロトコルである場合、ＧＵＩＤ２１２は、電子デバイス２０４に関連付けられたＭＡＣアドレスとすることができる。
【００１４】
動作中、コンピューティングデバイス２０２は、ＮＦＣリーダ２０６を介して電子デバイス２０４からＧＵＩＤ２１２を得ることができる。電子デバイス２０４が、コンピューティングデバイス２０２をタップする（すなわち、電子デバイス２０４がコンピューティングデバイス２０２と物理的に接触する）か、又はコンピューティングデバイス２０２に対して特定の距離内にある場合、ＮＦＣリーダ２０６は、磁気誘導を介してＮＦＣタグ２１０を起動して、ＧＵＩＤ２１２を読み出すことができる。
【００１５】
ＧＵＩＤ２１２の取得に応答して、コンピューティングデバイス２０２は、ＧＵＩＤ２１２に基づいて電子デバイス２０４のアイデンティティを認証することができる。いくつかの例において、コンピューティングデバイス２０２は、ＧＵＩＤ２１２をサーバ２１４に送信して、認証を実行することができる。電子デバイス２０４が認証されたという判断に応答して、サーバ２１４は、電子デバイス２０４に関連付けられたデバイス特徴情報２１６を検索又は生成することができる。サーバ２１４は、デバイス特徴情報２１６をコンピューティングデバイス２０２に送信することができる。デバイス特徴情報２１６は、電子デバイス２０４の態様を記述することができる。デバイス特徴情報２１６の例は、以下に記載される。
【００１６】
コンピューティングデバイス２０２は、デバイス特徴情報２１６及びＧＵＩＤ２１２に基づいて電子デバイス２０４との通信リンクをセットアップ及び確立することができる。例えば、コンピューティングデバイス２０２は、デバイス特徴情報２１６を用いて通信リンクを構成することができる。コンピューティングデバイス２０２は、通信リンクのための電子デバイス２０４のクレデンシャル（credential：証明情報）としてＧＵＩＤ２１２を用いることができる。通信リンクが確立されると、コンピューティングデバイス２０２及び電子デバイス２０４は、通信リンクを介してデータを交換することができる。コンピューティングデバイス２０２が、電子デバイス２０４からＧＵＩＤ２１２を得ることを可能にするとともに通信リンクを自動的に設定することによって、通信リンクを確立するプロセスを、電子デバイス２０４又はコンピューティングデバイス２０２のユーザからのいかなる入力も伴わずに実行することができる。したがって、通信リンクを確立することに関連付けられる時間量を低減することができる。
【００１７】
デバイス特徴情報２１６は、電子デバイス２０４のデバイスタイプ、電子デバイス２０４によってサポートされる通信プロトコル、電子デバイス２０４の検知能力、電子デバイス２０４の制御能力、又はそれらの組み合わせとすることができる。電子デバイス２０４のデバイスタイプは、電子デバイス２０４が、センサであるのか、電化製品であるのか、又は別のタイプのデバイスであるのかを示すことができる。通信プロトコルは、電子デバイス２０４及びコンピューティングデバイス２０２がデータを交換するのに用いる通信プロトコルとすることができる。例えば、通信プロトコルは、Ｚ−Ｗａｖｅプロトコル、Ｂｌｕｅｔｏｏｔｈ（登録商標）プロトコル、Ｚｉｇｂｅｅプロトコル、又はＴｈｒｅａｄプロトコルとすることができる。
【００１８】
いくつかの例において、電子デバイス２０４は、通信リンクが確立される前は電源をオフにしておくことができ、通信リンクが確立された後は電源をオンにしてコンピューティングデバイス２０２とデータを交換することができる。
【００１９】
図３は、別の例による、電子デバイスの識別子に基づいて、電子デバイスとコンピューティングデバイスとの間の通信リンクを確立するシステム３００を示している。システム３００は、コンピューティングデバイス２０２、電子デバイス２０４、及び第２の電子デバイス３０２を含むことができる。第２の電子デバイス３０２は、電子デバイス２０４と類似のものとすることができる。第２の電子デバイス３０２は、第２のＮＦＣタグ３０４及び送受信機３０６を備えることができる。また、コンピューティングデバイス２０２及び電子デバイス２０４は、それぞれ送受信機３０８及び３１０を備えることができる。
【００２０】
いくつかの例において、送受信機３１０は、第１の通信プロトコルを実施することができる。第２の送受信機３０６は、第１の通信プロトコルとは異なる第２の通信プロトコルを実施することができる。送受信機３０８は、第１の通信プロトコル及び第２の通信プロトコルを含む複数の通信プロトコルを実施することができる。一例として、第１の通信プロトコルは、Ｂｌｕｅｔｏｏｔｈプロトコルとすることができ、第２の通信プロトコルは、Ｚ−Ｗａｖｅプロトコルとすることができる。
【００２１】
動作中、コンピューティングデバイス２０２は、図２に記載されるように、ＧＵＩＤ２１２及びデバイス特徴情報２１６に基づいて電子デバイス２０４とのＢｌｕｅｔｏｏｔｈ通信リンクを確立することができる。第１の通信リンクが確立された後、コンピューティングデバイス２０２及び電子デバイス２０４は、それぞれ送受信機３０８及び３１０を介してＢｌｕｅｔｏｏｔｈ通信リンクを用いてデータを交換することができる。
【００２２】
コンピューティングデバイス２０２は、ＮＦＣプロトコルを介して第２の電子デバイス３０２から第２のＧＵＩＤ３１２を得ることができる。第２のＧＵＩＤ３１２は、第２のＮＦＣタグ３０４に記憶することができる。第２のＧＵＩＤ３１２の取得に応答して、コンピューティングデバイス２０２は、第２のＧＵＩＤ３１２に基づいて第２の電子デバイス３０２を認証することができる。例えば、コンピューティングデバイス２０２は、認証のために、第２のＧＵＩＤ３１２をサーバ２１４に送信することができる。
【００２３】
第２の電子デバイス３０２が認証されたという判断に応答して、コンピューティングデバイス２０２は、第２のＧＵＩＤ３１２に基づいて第２のデバイス特徴情報３１４を特定することができる。例えば、サーバ２１４は、第２のＧＵＩＤ３１２に基づいて第２の電子デバイス３０２に関連付けられた第２のデバイス特徴情報３１４を検索又は生成することができる。サーバ２１４は、第２のデバイス特徴情報３１４をコンピューティングデバイス２０２に送信することができる。
【００２４】
第２のＧＵＩＤ３１２及び第２のデバイス特徴情報３１４に基づいて、コンピューティングデバイス２０２は、第２の電子デバイス３０２とのＺ−Ｗａｖｅ通信リンクをセットアップ及び確立することができる。Ｚ−Ｗａｖｅ通信リンクが確立されると、コンピューティングデバイス２０２及び第２の電子デバイス３０２は、それぞれ送受信機３０８及び３０６を介してデータを交換することができる。
【００２５】
図４は、別の例による、電子デバイスの識別子に基づいて電子デバイスとの通信リンクを確立するコンピューティングデバイス４００を示している。コンピューティングデバイス４００は、プロセッサ４０２及びコンピュータ可読記憶媒体４０４を備えることができる。コンピューティングデバイス４００は、図１のコンピューティングデバイス１００及び／又は図２及び図３のコンピューティングデバイス２０２として実施することができる。
【００２６】
プロセッサ４０２は、中央処理ユニット（ＣＰＵ）、半導体ベースマイクロプロセッサ、及び／又はコンピュータ可読記憶媒体４０４に記憶される命令の検索及び実行に好適な他のハードウェアデバイスとすることができる。プロセッサ４０２は、命令４０６、４０８、４１０及び４１２をフェッチ、復号、及び実行して、電子デバイスの識別子に基づいて電子デバイスとの通信リンクを確立するプロセスを制御することができる。命令を検索及び実行することの代わりに又はこれらに加えて、プロセッサ４０２は、命令４０６、４０８、４１０、４１２、又はそれらの組み合わせの機能を実行する、電子コンポーネントを含む少なくとも１つの電子回路を備えることができる。
【００２７】
コンピュータ可読記憶媒体４０４は、実行可能命令を含む又はこれらの命令を記憶する任意の電子的、磁気的、光学的、又は他の物理的記憶デバイスとすることができる。したがって、コンピュータ可読記憶媒体４０４は、例えば、ランダムアクセスメモリ（ＲＡＭ）、電気的消去可能プログラマブルリードオンリメモリ（ＥＥＰＲＯＭ）、記憶デバイス、光学ディスク等とすることができる。いくつかの例において、コンピュータ可読記憶媒体４０４は、非一時的記憶媒体とすることができ、ここで、「非一時的（non-transitory）」という語は、一時的な伝播信号を包含しない。以下に詳細に記載されるように、コンピュータ可読記憶媒体４０４は、一連のプロセッサ実行可能命令４０６、４０８、４１０、及び４１２を用いて符号化することができる。
【００２８】
グローバル一意識別子取得命令４０６は、電子デバイスからＧＵＩＤを得ることができる。例えば、図２を参照すると、コンピューティングデバイス２０２は、ＮＦＣリーダ２０６を介して電子デバイス２０４からＧＵＩＤ２１２を得ることができる。電子デバイス認証４０８は、電子デバイスのＧＵＩＤに基づいて電子デバイスを認証することができる。例えば、コンピューティングデバイス２０２は、ＧＵＩＤ２１２をサーバ２１４に送信して、認証を実行することができる。
【００２９】
デバイス特徴情報特定命令４１０は、ＧＵＩＤに基づいて電子デバイスのデバイス特徴情報を特定することができる。例えば、図２を参照すると、電子デバイス２０４が認証されたという判断に応答して、サーバ２１４は、電子デバイス２０４に関連付けられたデバイス特徴情報２１６を検索又は生成することができる。サーバ２１４は、デバイス特徴情報２１６をコンピューティングデバイス２０２に送信することができる。通信リンク確立命令４１２は、電子デバイスに関連付けられたデバイス特徴情報及びＧＵＩＤに基づいて、コンピューティングデバイス４００と電子デバイスとの間の通信リンクを確立することができる。例えば、図２を参照すると、コンピューティングデバイス２０２は、デバイス特徴情報２１６及びＧＵＩＤ２１２に基づいて電子デバイス２０４との通信リンクをセットアップ及び確立することができる。
【００３０】
「備える」、「含む」又は「有する」の使用は同義であり、本明細書におけるそれらの変形は、包括的又はオープンエンド（open-ended）であることが意味され、列挙されていない追加の要素又は方法ステップを排除しない。
【図１】
2018537887.tif 000003
【図２】
2018537887.tif 000004
【図３】
2018537887.tif 000005
【図４】
2018537887.tif 000006
【国際調査報告】
2018537887.tif 000007
2018537887.tif 000008